(57)【要約】【課題】  ブラケット撮影によって得られた画像の比較および画像データの整理を容易にする。【解決手段】  光学像を光電変換することによって画像データを生成する撮像手段と、記録媒体内に画像データを保管するためのフォルダを作成するフォルダ作成手段と、フォルダ作成手段によって作成されたフォルダ内に、撮像手段によって生成された画像データを記録する記録手段と、フォルダ内における画像データの記録可能枚数を判定する判定手段とを有し、撮影条件を変化させながら複数の画像データを生成する撮影モードが設定可能なカメラにおいて、フォルダ作成手段は、判定手段が前記撮影モードでの撮影によって得られた複数の画像データを１つのフォルダ内に記録できないと判定したときに、他のフォルダを作成し、記録手段は、複数の画像データを他のフォルダ内へ記録させる。【選択図】  図３
2005136654.tif 000002
【特許請求の範囲】
【請求項１】
光学像を光電変換することによって画像データを生成する撮像手段と、
記録媒体内に画像データを保管するためのフォルダを作成するフォルダ作成手段と、
該フォルダ作成手段によって作成されたフォルダ内に、前記撮像手段によって生成された画像データを記録する記録手段と、
前記フォルダ内における画像データの記録可能枚数を判定する判定手段とを有し、
撮影条件を変化させながら複数の画像データを生成する撮影モードが設定可能なカメラにおいて、
前記フォルダ作成手段は、前記判定手段が前記撮影モードでの撮影によって得られた複数の画像データを１つのフォルダ内に記録できないと判定したときに、他のフォルダを作成し、
前記記録手段は、前記複数の画像データを前記他のフォルダ内へ記録させることを特徴とするカメラ。
【請求項２】
撮像手段と、着脱可能な記録手段と、前記記録手段の中に画像データを保管するフォルダを作成するフォルダ作成手段と、前記フォルダ内の記録可能枚数を判定するフォルダ残枚数判定手段と、段階的に撮像感度を変化させ複数コマの撮影を行うＩＳＯブラケット撮影手段を有するカメラにおいて、
前記ＩＳＯブラケット撮影手段によって得られた一連の画像データを単一のフォルダ内に記録出来ないと前記残枚数判定手段が判定した時には、前記フォルダ作成手段によって新規フォルダを作成すると共に、一連のＩＳＯブラケット撮影画像データを前記新規フォルダ内に記録することを特徴とするカメラ。
【請求項３】
撮像手段と、着脱可能な記録手段と、前記記録手段の中に画像データを保管するフォルダを作成するフォルダ作成手段と、前記フォルダ内の記録可能枚数を判定するフォルダ残枚数判定手段と、段階的に露出を変化させ複数コマの撮影を行うＡＥＢ撮影手段を有するカメラにおいて、
前記ＡＥＢ撮影手段によって得られた一連の画像データを単一のフォルダ内に記録出来ないと前記残枚数判定手段が判定した時には、前記フォルダ作成手段によって新規フォルダを作成すると共に、一連のＡＥＢ撮影画像データを前記新規フォルダ内へ記録することを特徴とするカメラ。
【請求項４】
撮像手段と、着脱可能な記録手段と、前記記録手段の中に画像データを保管するフォルダを作成するフォルダ作成手段と、前記フォルダ内の記録可能枚数を判定するフォルダ残枚数判定手段と、ホワイトバランス補正値を段階的に変化させ複数コマの撮影を行うホワイトバランスブラケット撮影手段を有するカメラにおいて、
前記ホワイトバランスブラケット撮影手段によって得られた一連の画像データを単一のフォルダ内に記録出来ないと前記残枚数判定手段が判定した時には、前記フォルダ作成手段によって新規フォルダを作成すると共に、一連のホワイトバランスブラケット撮影画像データを前記新規フォルダ内に記録することを特徴とするカメラ。
【発明の詳細な説明】
【技術分野】
【０００１】
本発明は、撮像手段の撮像感度を変化させる事で同一の露光条件から異なる撮像データを得る事ができるブラケット機能を有する電子カメラに関するものである。
【背景技術】
【０００２】
銀塩フィルムを用いるスチルカメラでは、夕暮れのシーンや高反射率の被写体が部分的に存在するなど、適正な露出の決定が困難な場合には、同一シーンの露出をわずかに変えながら複数コマ撮影し、その中から適正な露出のコマを選択する、いわゆるオートブラケット撮影が行われる。
【０００３】
撮影デバイスとして、ＣＣＤなどを用いる電子カメラを利用する場合でも、露出に関する事情は同じであり、適正でない露光量で撮影を行うと暗い画像や、逆に明るすぎる画像しか得られないので、露出決定の難しいシーンでは、銀塩カメラと同様オートブラケティング撮影を行うことになる。
【０００４】
このようなブラケット撮影によって得られた画像は、一連の画像を比較する事によって最適な画像を選択するのが一般的である。
【０００５】
従来の銀塩カメラにおいては、ブラケット撮影の結果がフィルムに記録されるため、ブラケット撮影結果がバラバラになって撮影結果の比較出来なくなる事はない。また、ブラケット撮影途中でフィルムがなくなったとしても、以後の撮影は出来ないため、ブラケット撮影の結果がバラバラになってしまって、撮影結果の比較が出来なくなるといった事が起きなかった。
【０００６】
電子カメラにおいては、通常、着脱可能なメモリ内部にフォルダを作成し、その中に所定枚数（画像データ数）を記録出来るようにしてある。フォルダ内に記録出来る枚数を制限する理由は、メモリ手段に大きな容量を使った場合、無制限に記録出来るようにすると撮影データの整理が面倒になるからである。
【０００７】
従来、ブラケット撮影機能を有するカメラにおいて、ブラケット撮影が選択され実行されると、必ず新規にフォルダを作成し、ブラケット撮影が終了すると更に新規フォルダを作成し、次の撮影のデータを記録していくものがある（例えば、特許文献１参照）。
【特許文献１】特開平６−７８２６０号公報
【発明の開示】
【発明が解決しようとする課題】
【０００８】
しかしながら、特許文献１で提案されている方法では、ブラケット撮影が実行される度に新たなフォルダがメモリ内に作成されるため、フォルダの数が増えすぎてかえって画像データの比較、整理がやりにくくなると言った弊害があった。
【０００９】
本発明の課題とするところは、ブラケット撮影機能を有する電子カメラにおいて、撮影後のブラケット撮影の比較、そして撮影画像データ全般の整理がしやすい電子カメラを提供する事にある。
【課題を解決するための手段】
【００１０】
上記目的を達成するために本発明は、光学像を光電変換することによって画像データを生成する撮像手段と、記録媒体内に画像データを保管するためのフォルダを作成するフォルダ作成手段と、該フォルダ作成手段によって作成されたフォルダ内に、前記撮像手段によって生成された画像データを記録する記録手段と、前記フォルダ内における画像データの記録可能枚数を判定する判定手段とを有し、撮影条件を変化させながら複数の画像データを生成する撮影モードが設定可能なカメラにおいて、前記フォルダ作成手段は、前記判定手段が前記撮影モードでの撮影によって得られた複数の画像データを１つのフォルダ内に記録できないと判定したときに、他のフォルダを作成し、前記記録手段は、前記複数の画像データを前記他のフォルダ内へ記録させることを特徴とする。
【００１１】
また、撮像手段と、着脱可能な記録手段と、前記記録手段の中に画像データを保管するフォルダを作成するフォルダ作成手段と、前記フォルダ内の記録可能枚数を判定するフォルダ残枚数判定手段と、段階的に露出を変化させ複数コマの撮影を行うＡＥＢ撮影手段または段階的に撮像感度を変化させて複数コマの撮影を行うＩＳＯブラケット撮影手段またはホワイトバランス補正値を段階的に変化させ複数コマの撮影を行うホワイトバランスブラケット撮影手段を有する電子カメラにおいて、ＡＥＢ撮影手段またはＩＳＯブラケット撮影手段またはホワイトバランスブラケット撮影手段によって得られた一連の画像データを単一のフォルダ内に記録出来ないと前記残枚数判定手段が判定した時には、前記フォルダ作成手段によって新規フォルダを作成すると共に、一連のブラケット撮影画像データを前記新規フォルダ内へ記録する事を特徴とする。
【００１２】
上記構成とする事で、ブラケット撮影時にメモリ内のフォルダに新たな画像データが書き込めない場合、新たなフォルダを作成し、そこに一連のブラケット撮影画像データを書き込むようにする事が出来る。
【発明の効果】
【００１３】
本発明によれば、撮像手段と、着脱可能な記録手段と、前記記録手段の中に画像データを保管するフォルダを作成するフォルダ作成手段と、前記フォルダ内の記録可能枚数を判定するフォルダ残枚数判定手段と、複数コマの撮影を行うＡＥＢ撮影手段またはＩＳＯブラケット撮影手段またはホワイトバランスブラケット撮影手段を有する電子カメラにおいて、ＡＥＢ撮影手段またはＩＳＯブラケット撮影手段またはホワイトバランスブラケット撮影手段によって得られた一連の画像データを単一のフォルダ内に記録出来ないと前記残枚数判定手段が判定した時には、前記フォルダ作成手段によって新規フォルダを作成すると共に、一連のブラケット撮影画像データを前記新規フォルダ内へ記録する事を特徴とするカメラとしている。
【００１４】
これにより、ブラケット撮影途中にフォルダに書き込み出来なくなってしまった場合でも、新規フォルダを作成し、かつ作成した新規フォルダに一連のブラケット撮影の画像データをひとつにまとめて記録するようにしたので、ブラケット撮影結果の比較がとても行いやすい電子カメラとする事が出来る。また、ブラケット撮影をしただけではメモリ内のフォルダが増えないので、フォルダ数増加による撮影画像データの整理のしやすさを損なう事がない。
【発明を実施するための最良の形態】
【００１５】
以下、本発明の実施例について説明する。
【実施例１】
【００１６】
以下本発明に係る電子カメラの実施例１を説明する。
【００１７】
図１は、本発明に係る実施例における一眼レフタイプ電子カメラの外観上面図、図２は、本発明に係る実施例における一眼レフタイプ電子カメラの外観背面図、図３は、本発明に係る実施例における一眼レフタイプ電子カメラの制御系の構成を示すブロック図、図４（ａ）、（ｂ）、（ｃ）、（ｂ’）、（ｃ’）、（ｄ’）は、ＩＳＯブラケット設定時における一眼レフタイプ電子カメラのＬＣＤモニター装置の表示例を示す説明図である。
【００１８】
図５は本発明に係る実施例における一眼レフタイプ電子カメラのＩＳＯブラケット設定動作を示すフローチャート、図６は本発明に係る実施例における一眼レフタイプ電子カメラのＡＥＢブラケット設定動作を示すフローチャート、図７は、本発明に係る実施例における一眼レフタイプ電子カメラのブラケットの撮影シーケンスを示すフローチャート、図８は、図７のステップＳ３０５、３２２の撮影処理の詳細を示すフローチャートである。
【００１９】
図９は本発明の実施例におけるブラケット関連画像を異なるフォルダに分散する事なくひとつのフォルダに記録する処理を説明するためのフローチャートである。図１０はＡＥＢブラケット設定時における一眼レフタイプ電子カメラのＬＣＤモニター装置の表示例を示す説明図である。図１１は、ホワイトバランスブラケット時のデジタル一眼レフカメラの動作を示すフローチャート図。図１２はホワイトバランスブラケット設定時のデジタル一眼レフカメラのＬＣＤモニターの表示例を示す図である。
【００２０】
以下、本発明の実施例を一眼レフタイプ電子カメラの実施例により詳しく説明する。尚、本実施例では、記録手段として着脱可能な記録装置を用いているが、本発明は、これに限らず、記録装置を内蔵する形で同様に実施することができる。
【００２１】
図１及び図２には、本発明の実施例である“一眼レフタイプ電子カメラ”を示している。図１は、本発明の実施例による一眼レフタイプの電子カメラの構成を示す外観上面図、図２は同電子カメラの構成を示す外観背面図である。
【００２２】
各図において、１００はカメラ本体、１１１はファインダー観察用の接眼窓である。図１及び図２において、１１２はＡＥ（自動露出）ロックボタン、１１３はＡＦ（オートフォーカス）の測距点選択ボタンである。
【００２３】
１１４は撮影操作をするためのレリーズボタンであり、第１ストロークでＳＷ１がＯＮし、第２ストロークでＳＷ２がＯＮする構成となっている。
【００２４】
１１５は第１の操作手段であるメイン電子ダイヤルで、例えば９０°位相のずれた２ビットの信号をマイクロコンピュータ１に送ることにより、回転方向と回転クリック数が検出される。
【００２５】
この回転方向と回転クリック数を検出することで、他の操作釦と併用して、カメラに数値を入力したり、撮影モードを切り換えたりすることが可能となる。尚、この情報設定方法は、特開昭５８−６３９２２号や特開昭６０−１０３３３１号において公知であるので、詳しい説明は省略する。
【００２６】
図１及び図２において、１１７は撮影モード選択ボタン、１１８はＡＦモード選択ボタン、１１９は測光モード選択ボタンで、調光補正ボタンも兼ねている。例えば、撮影モード選択ボタン１１７を押しながらメイン電子ダイヤル１１５を回転させると、Ｔｖ優先→Ａｖ優先→マニアル→プログラム→Ｔｖ優先→Ａｖ優先→マニアル→プログラム…と変更され、撮影者の意図するモードに設定することができる。
【００２７】
また、メイン電子ダイヤル１１５を逆回転させた時は、プログラム→マニアル→Ａｖ優先→Ｔｖ優先→プログラム→…とモードは変更される。また、撮影モード選択ボタン１１７と電子ダイヤル１１５によりＴｖ優先がモードとして設定されている場合には、メイン電子ダイヤル１１５を回転させることにより撮影者の希望するＴｖ値を設定することができる。この時、後述するダイヤル分解能設定ＳＷを選択・設定することにより、ダイヤル回転１クリック当たりの変化量を変更する事ができる。
【００２８】
また、撮影モード選択ボタン１１７とメイン電子ダイヤル１１５によりＡｖ優先がモードとして設定されている場合には、メイン電子ダイヤル１１５を回転させることにより撮影者の希望とするＡｖ値を設定することができる。この時、後述するダイヤル分解能設定ＳＷを選択・設定することにより、ダイヤル回転１クリック当たりの変化量を変更する事ができる。
【００２９】
また、ＡＦモード選択ボタン１１８と測光モード選択ボタン１１９を同時に押すことで、ＩＳＯ値の設定やＩＳＯブラケットの設定ができるＩＳＯブラケット設定モードが選択される。尚、ＩＳＯブラケット設定モードに関しては、後に詳述する。
【００３０】
１２６はカメラの連写モードを設定するＳＷ（ドライブモードＳＷ）であり、測光モード選択ボタン１１９を同時に押すことで、ＡＥＢの設定ができるＡＥＢ設定モードが選択される。尚、ＡＥＢ設定モードに関しては、後に詳述する。
【００３１】
図２及び図３において、１２０は撮影された画像を表示する表示手段としてのＬＣＤモニター装置（液晶表示器）である。
【００３２】
図２において、１２１はＬＣＤモニター装置１２０をオン／オフするためのモニタースイッチである。本実施例によるＬＣＤモニター装置１２０は透過形であるため、ＬＣＤモニター装置の駆動だけでは、画像を視認することはできず、必ずその裏面には不図示のバックライト照明装置が必要である。またＬＣＤモニター装置内部には、ホワイトバランス情報表示部２０１が設けられている。ホワイトバランス情報表示部２０１についてホワイトバランス設定について説明するところで表示例を用いて説明する。
【００３３】
図１及び図２において、１１６はメイン電子ダイヤル１１５と同様の機能を備えた、第２の操作手段であるサブ電子ダイヤルである。撮影モード選択ボタン１１７とメイン電子ダイヤル１１５によりマニュアルモードが設定された時には、絞り値の入力設定、プログラムモード（Ｐ）・シャッター優先モード（Ｔｖ）・絞り優先モード（Ａｖ）においては測光した適正露出に対し、カメラの制御露光量を変更する露出補正量の入力設定を行うものである。
【００３４】
図２において、１２２はこのサブ電子ダイヤル１１６による入力機能をロックするダイヤルロックスイッチ、１２３は本電子カメラの全ての動作を禁止するメインスイッチである。
【００３５】
１２５は、前記メイン電子ダイヤル１１５及びサブ電子ダイヤル１１６を使ってシャッタースピード、絞り値、露出補正量、ブラケット補正量などを設定する時の各ダイヤル１クリック当たりの変化量、即ちダイヤル分解能を設定するダイヤル分解能設定ＳＷ（設定値分解能変更手段）である。図２で示した位置にある時は、ダイヤル分解能が「１／２段」に設定されている。左側にＳＷが設定された時は「１／３段」に設定される。
【００３６】
１２４はＬＣＤモニター装置１２０に画像を表示する際や、カメラの初期設定の際にモードを選択するためのメニューボタンで、各モードを選択する時は、このメニューボタン１２４を押しながらサブ電子ダイヤル１１６を回転して希望のモードを選択する。希望のモードが選択された時、メニューボタン１２４を離すと選択・設定が完了する。
【００３７】
１２７はホワイトバランス設定を変更するためのボタンである。このボタンを押した状態で、サブ電子ダイヤル１１６を回転すると予め決められている色温度（日中日陰、曇り、晴天下など）条件の中からホワイトバランス条件を選択する事が出来る。また、ホワイトバランス設定ボタン１２７とメニューボタン１２４を同時に押した状態でサブ電子ダイヤル１１６を操作する事でホワイトバランスブラケットモードの設定を行う事が出来る。
【００３８】
１４０は撮影条件等を表示する外部表示機能を備えた液晶表示装置よりなる外部液晶表示装置である。
【００３９】
撮影レンズ２００は、カメラ本体１００に対して、不図示の本体マウントを介して交換可能である。
【００４０】
図３は、本発明の実施例である“一眼レフタイプ電子カメラ”の制御系の構成を示すブロック図である。
【００４１】
図３において、１はカメラ本体に内蔵された制御手段であるところのマイクロコンピュータの中央処理装置（以下、ＭＰＵと記す）である。ＭＰＵ１には、ＡＦ駆動回路１２，絞り駆動回路１３，ミラー駆動回路１４，焦点検出回路１６，シャッター駆動回路１７，映像信号処理回路１１，スイッチセンス回路２１，測光回路２３、液晶表示駆動回路２４が接続されている。ＭＰＵ１は各要素，上記回路を予め定めた順序でシーケンシャルに制御する。また、ＭＰＵ１は、メモリ手段内のフォルダに画像データが書き込み可能かどうか判定するフォルダ残容量判定手段であり、残容量が足りない場合に新規フォルダを作成するフォルダ作成手段である。
【００４２】
２００は撮影レンズであり、１２はＡＦ（オートフォーカス）駆動回路で、例えば、ステッピングモータによって構成され、ＭＰＵ１の制御によって撮影レンズ２００内のフォーカスレンズ位置を変化させることによりＣＣＤ７にピントを合わせる。
【００４３】
絞り駆動回路１３は、例えば、オートアイリスなどによって構成され、ＭＰＵ１の制御によって絞り２を変化させて光学的な絞り値を変化させる。
【００４４】
メインミラー４は、撮影レンズ２００により結像される被写体像を、ペンタプリズム（ペンタゴナルダハプリズム）３へ導くと共に、その一部を透過させ、後述するサブミラー５を通して焦点検出センサー１５へ導くためのものである。そして、ミラー駆動回路１４により、ファインダーにて被写体像を観察可能な位置と、撮影時に被写体光束の光路から退避する退避位置とを可動自在に構成されている。
【００４５】
５はメインミラー４の一部を透過した被写体光を反射させて、焦点検出センサー１５へ被写体像を導くためのサブミラーである。このサブミラー５は、前記メインミラー４、又は、前記メインミラー４のミラー駆動回路１４と連動し、前記メインミラー４がファインダーにて被写体像を観察可能な位置にあるときには、焦点検出センサー１５へ被写体光を導く位置に、また、撮影時には被写体光束の光路から退避する退避位置に可動自在に構成されている。
【００４６】
ミラー駆動回路１４は、例えばＤＣモータとギヤトレインなどから構成され、ＭＰＵ１の制御によってメインミラー４やサブミラー５を駆動させる。
【００４７】
ペンタプリズム（ペンタゴナルダハプリズム）３は、メインミラー４によって導かれた被写体像を正立正像に変換反射する光学部材である。
【００４８】
撮影レンズ２００を通過した被写体光束は、絞り２を通過して、メインミラー４で反射され、ペンタプリズム３に導かれ、接眼窓１１１で被写体像を観察する。
更には測光センサー２２へも導かれる。また、メインミラー４を透過した光束はサブミラー５で反射され、ＣＣＤ７面とほぼ等価な位置におかれた焦点検出センサー１５の検出面上で再結像される。
【００４９】
その光像は、電気的なイメージ信号に変換されて焦点検出回路１６に供給される。焦点検出回路１６はＭＰＵ１の信号に従い、焦点検出センサー１５の蓄積制御と読み出し制御を行って、画素情報をＭＰＵ１へ出力する。
【００５０】
ＭＰＵ１は焦点検出回路１６からの被写体像のイメージ信号に基づいて、周知の位相差検出法による焦点検出演算を行い、撮影レンズ２００による結像面とフィルム面等の予定結像面との差、即ち、デフォーカス量及びデフォーカス方向を求める。
【００５１】
そして、ＭＰＵ１は算出したデフォーカス量及びデフォーカス方向に基づいて、ＡＦ駆動回路１２を介して撮影レンズ２００内のフォーカスレンズ位置を変化させ合焦位置まで駆動する。
【００５２】
６は機械シャッター装置で、ファインダー観察時には被写体光束を遮り、撮像時にはレリーズ信号に応じて被写体光束の光路から退避して露光を開始させる先羽根群６ａ（図示略）と、ファインダー観察時には被写体光束の光路から退避していると共に、撮像時には先羽根群６ａの走行開始後、所定のタイミングで被写体光束を遮光する後羽根群６ｂ（図示略）とを有するフォーカルプレーンシャッターである。機械シャッター装置６はＭＰＵ１の指令を受けたシャッター駆動回路１７によって制御される。
【００５３】
本実施例においては、先羽根群６ａと後羽根群６ｂの両方とを有している場合について説明しているが、遮蔽部材を一つだけとして露光を開始する時は被写体光束の光路から退避し、撮影が終了後再び被写体光束の光路を遮蔽する位置まで戻るような構成としても構わない。
【００５４】
７は撮影レンズ２００により結像された被写体像を撮像して電気信号に変換する固体撮像素子である。固体撮像素子は、公知の２次元形撮像デバイスであるＣＣＤが用いられている。撮像デバイスには、ＣＣＤ形、ＭＯＳ形、ＣＩＤ形、ＣＰＤ形など様々な形態があり、何れの形態の撮像デバイスを採用しても良いが、本実施例においては、光電変換素子（フォトセンサ）が２次元的に配列され、各センサーで蓄積された信号電荷が垂直転送路、及び、水平転送路を介して出力されるインターライン形ＣＣＤ撮像素子が採用されている。
【００５５】
８はクランプ／ＣＤＳ（相関二重サンプリング）回路で、Ａ／Ｄ変換する前の基本的なアナログ処理を行うと共に、クランプレベルの変更も可能である。
【００５６】
９はＡＧＣ（自動利得調整装置）で、Ａ／Ｄ変換する前の基本的なアナログ処理を行うと共に、ＡＧＣ基本レベルの変更も可能である。尚、ＡＧＣ基本レベルは、後述するＩＳＯの設定に対応した値で行う。つまり、ＩＳＯの値が変更されると、ＡＧＣの基本レベルが変更されることになる。
【００５７】
１０はＡ／Ｄ変換器で、アナログのＣＣＤ７出力信号をデジタル信号に変換する。尚、ＣＣＤ７，クランプ／ＣＤＳ回路８，ＡＧＣ９，Ａ／Ｄ変換器１０、ＣＣＤ駆動回路（図示略）とから撮像手段を構成している。
【００５８】
１１は映像信号処理回路で、デジタル化されたＣＣＤ７の画像データに、ガンマー／ニー処理、フィルター処理、モニター表示用の情報合成処理など、ハードウエアによる画像処理全般を担当する。
【００５９】
この映像信号処理回路１１からのモニター表示用の画像データは、ＬＣＤ駆動回路２５を介してＬＣＤモニター装置１２０に表示される。これらの機能の切り換えは、ＭＰＵ１とのデータ交換により行われ、必要に応じてＣＣＤ７の出力信号のホワイトバランス情報をＭＰＵ１に出力可能であり、その情報を基にＭＰＵ１はホワイトバランス調整やゲイン調整を行う。
【００６０】
また、ＭＰＵ１の指示により、何もせずにメモリコントローラ２６を通じて、バッファメモリ２７に画像データを保存することも可能である。また、映像信号処理回路１１は、ＪＰＥＧなどの圧縮処理を行う機能も有している。
【００６１】
また、連写の場合は、一旦、バッファメモリ２７に画像データを格納し、処理時間が掛かる場合にメモリコントローラ２６を通して未処理の画像データを読み出し、映像信号処理回路１１で画像処理や圧縮処理を行い、連写スピードを稼ぐ構成となっている。
連写枚数は、バッファメモリ２７の容量に大きく左右される。
【００６２】
メモリコントローラ２６では、映像信号処理回路１１から入力された未処理のデジタル画像データをバッファメモリ２７に格納し、処理済みのデジタル画像をメモリ２８に格納したり、逆にバッファメモリ２７やメモリ２８から画像データを映像信号処理回路１１に出力したりする。
【００６３】
また、メモリコントローラ２６は、外部インターフェース２９から送られてくる映像をメモリ２８に記憶することや、メモリ２８に記憶されている画像を外部インターフェース２９から出力可能である。尚、メモリ２８は、カメラ本体に対して着脱可能に構成されている。
【００６４】
２１はスイッチセンス回路で、各スイッチの操作状態に応じて各部を制御する。１１４ａはレリーズボタン１１４の第１ストロークによりオンするスイッチＳＷ１である。１１４ｂは、レリーズボタン１１４の第２ストロークによりオンするスイッチＳＷ２である。スイッチＳＷ２がオンされるとレリーズ操作が開始される。
【００６５】
また、メイン電子ダイヤル１１５，サブ電子ダイヤル１１６，撮影モード選択ボタン１１７、ＡＦモード選択ボタン１１８、測光モード選択ボタン１１９、ダイヤル分解能設定ＳＷ１２５が接続されていて、各ボタン／ＳＷの状態をＭＰＵ１へ送信する。
【００６６】
ダイヤル分解能設定ＳＷ１２５が、「１／２」側に設定されている時は（図２に示す状態）、メイン電子ダイヤル１１５、サブ電子ダイヤル１１６を回転させる際の１クリック当たりの変化量を１／２段に設定する。「１／３」側に設定されている時は、メイン電子ダイヤル１１５、サブ電子ダイヤル１１６を回転させる際の１クリック当たりの変化量を１／３段に設定する。分解能が変更させられるパラメータは、シャッタースピード、絞り値、露出補正量、ブラケット補正量である。
【００６７】
ＩＳＯ感度設定値、即ちＩＳＯブラケット撮影モードにおける基準値は、銀塩フィルムに存在しないＩＳＯ感度が表示される事で、ユーザーの混乱を招かないように、ダイヤル分解能設定ＳＷ１２５の位置に関係なく「１／３段」ステップとなっている。
【００６８】
２３は測光回路で、画面内の各エリアの輝度信号として、測光センサー２２からの出力をＭＰＵ１に出力する。ＭＰＵ１は輝度信号をＡ／Ｄ変換し、撮影時の露出を算出する。
【００６９】
２４は液晶表示駆動回路で、ＭＰＵ１の表示内容命令に従って、外部液晶表示装置１４０やファインダー内液晶表示器３０を駆動する。また、液晶表示駆動回路２４は、ＭＰＵ１の指示により特定のセグメントを点滅表示状態にすることが可能である。３１は電源部で、各ＩＣ（集積回路）や駆動系に必要な電源を供給する。
【００７０】
次に、図４乃至図５を用いて、ＩＳＯブラケット撮影の設定方法について説明する。
【００７１】
ＩＳＯブラケット撮影とは、露光時間は変えずに（シャッタースピードや、絞り値を変化させずに）撮像素子の撮影感度値（撮像素子から出力される画像信号のゲイン調整値）を変化させてブラケット撮影することである。
【００７２】
図５のステップＳ１００において、ＡＦモード選択ボタン（ＳＷ）１１８とＡＥモード選択ボタン（ＳＷ）１１９の両方が、ＯＮしたか否かを判別する。ＯＮされたと判別されたならば、ステップＳ１０１へ移行し、ＩＳＯブラケット設定モードになる。この時、外部液晶表示装置１４０は、図４（ａ）、（ｂ）、（ｃ）、（ｂ’）、（ｃ’）、（ｄ’）に示す表示となる。
【００７３】
図４は、外部液晶表示装置１４０の表示画面を示しており、表示画面の下方に示されるドット表示は、そのブラケット補正量（ゲイン調整量）でブラケット撮影を行うことを表している。つまり、本実施例では、異なる３つのブラケット補正量（ゲイン調整量）でゲイン調整が行われることを示している。
【００７４】
図４において、図４（ａ）は初期の状態を示している。後に詳述する操作が行われると、図４（ｂ）もしくは図４（ｂ’）以降の表示に変化していく。
【００７５】
１４０ａは設定されているＩＳＯの値、即ちＩＳＯブラケット撮影モードにおける基準値を示している。１４０ｂはＩＳＯのブラケット補正量（ゲイン調整量）をドットにて示し、１ドット１／３段を表している。ダイヤル分解能設定ＳＷ１２５が１／３側に設定されている時は、１ドット単位で変化する。ダイヤル分解能設定ＳＷ１２５が１／２側に設定されている時、ブラケット補正量（ゲイン調整量）が１／２段ステップで変化する事になるが、１／２段の位置をドットで表す場合、１／２段の設定値の両側にあるドット二つを表示させて行っている。１段（±１、±２、±３等）毎の位置をドットで示す時は、対応する位置のドット一つで示している。１４０ｃはブラケット補正量（ゲイン調整量）を７セグメント表示にて示している。
【００７６】
図５に戻って、ステップＳ１０２，ステップＳ１０４では、それぞれメイン電子ダイヤル１１５とサブ電子ダイヤル１１６の入力を判別する。入力がされない時にはステップＳ１０９へ移行する。
【００７７】
ステップＳ１０２において、メイン電子ダイヤル１１５の入力が確認されると、ステップＳ１０３にて、ＩＳＯの値を変更する。
【００７８】
この時の図４における１４０ａの表示は、初期値の値がＩＳＯ２００ならば、メイン電子ダイヤル１１５が１クリック回転される毎に、２００→２５０→３２０→４００・・・１６００まで１／３段づつ画像信号のゲイン調整値が増加していく。また、逆回転方向に操作されると、１６００→１２５０→１０００→８００・・・→２００と画像信号のゲイン調整値が１／３づつ減少していく。これはダイヤル分解能設定ＳＷ１２５の位置に拘らず１／３毎の変化となっている。
【００７９】
図５に戻って、ステップＳ１０４にてサブ電子ダイヤル１１６の入力が確認されると、ステップＳ１０５にて、ダイヤル分解能設定ＳＷ１２５の位置を確認し、ダイヤル分解能設定ＳＷ１２５が１／３段側に設定されていた場合、ステップＳ１０７にて１クリック当たりのゲイン調整の変化量を１／３ＥＶとし、補正量を決定する。
【００８０】
この時の図４における１４０ｂの表示は、初期状態である図４（ａ）の状態から、サブ電子ダイヤル１１６が１クリック回転される毎に、１ドットづつ変化していく。図４（ｂ）は、サブ電子ダイヤル１１６が初期状態図４（ａ）から１クリック操作されたときのドットの状態を示し、図４（ｃ）はサブ電子ダイヤル１１６が初期状態から、２クリック操作された状態を示している。
【００８１】
また、サブ電子ダイヤル１１６を逆方向に回転させると、図４（ｃ）の状態から図４（ｂ）→図４（ａ）の状態へ１ドットづつ逆に変化していく。
【００８２】
１４０ｃの表示もドットの表示に対応して、サブ電子ダイヤル１１６が１クリック回転される毎に、０．０→０．３→０．７→・・・→３．０まで１／３段づつ変化していく。また、逆方向へ回転させると、３．０→２．７→２．３→・・・→０．０と変化していく。
【００８３】
ステップＳ１０５にて、ダイヤル分解能設定ＳＷ１２５の位置を確認し、ダイヤル分解能設定ＳＷ１２５が１／２段側に設定されていた場合、ステップＳ１０６にて１クリック当たりのゲイン調整の変化量を１／２ＥＶとし、補正量を決定する。
【００８４】
この時の図４における１４０ｂの表示は、初期状態である図４（ａ）の状態から、サブ電子ダイヤル１１６が１クリック回転される毎に、１ドットづつ変化していく。図４（ｂ’）は、サブ電子ダイヤル１１６が初期状態図４（ａ）から１クリック操作されたときのドットの状態を示し、図４（ｃ’）は、サブ電子ダイヤル１１６が初期状態から、２クリック操作された状態を示している。図４（ｄ’）は、サブ電子ダイヤル１１６が初期状態から、３クリック操作された状態を示している。
【００８５】
また、サブ電子ダイヤル１１６を逆方向に回転させると、図４（ｄ’）の状態から図４（ｃ’）→図４（ｂ’）→図４（ａ）の状態へ１ドットづつ逆に変化していく。
【００８６】
１４０ｃの表示もドットの表示に対応して、サブ電子ダイヤル１１６が１クリック回転される毎に、０．０→０．５→１．０→・・・→３．０まで１／２段づつ変化していく。また、逆方向へ回転させると、３．０→２．５→２．０→・・・→０．０と変化していく。
【００８７】
図５に戻って、ステップＳ１０６にてＩＳＯブラケットの補正が行われると、ステップＳ１０８にて、ＩＳＯブラケットのフラグを設定し、変数Ｎ＝０をＭＰＵ１内のメモリに記憶して、ステップＳ１０９へ移行する。このフラグが設定されると後述するＩＳＯブラケット撮影が行われる。つまりは、ＩＳＯ設定モードにてサブ電子ダイヤル１１６が操作され、ブラケット補正量が設定されると、ＩＳＯブラケット撮影が行われることになる。
【００８８】
ステップＳ１０９では、ＡＦモード選択ボタン（ＳＷ）１１８・ＡＥモード選択ボタン（ＳＷ）１１９がＯＦＦしたか否かを判別し、ＯＦＦしていない場合には、以上説明した操作を繰り返し、ＯＦＦされたと判別された時には、ＩＳＯブラケット設定モードを終了する。
【００８９】
次に、図６、図１０を用いて、ＡＥＢブラケット撮影の設定方法について説明する。ＡＥＢブラケット撮影とは、シャッタースピードと絞り値のどちらか一方、またはを両方を変化させてブラケット撮影することである。
【００９０】
図６のステップＳ２００において、ドライブモード選択ボタン（ＳＷ）１２６とＡＥモード選択ボタン（ＳＷ）１１９の両方が、ＯＮしたか否かを判別する。ＯＮされたと判別されたならば、ステップＳ２０１へ移行し、ＩＳＯブラケット設定モードになる。この時、外部液晶表示装置１４０は、図１０（ａ）、（ｂ）、（ｃ）、（ｂ’）、（ｃ’）、（ｄ’）に示す表示となる。
【００９１】
図１０は、外部液晶表示装置１４０の表示画面を示しており、表示画面の下方に示されるドット表示は、そのブラケット補正量でブラケット撮影を行うことを表している。つまり、本実施例では、異なる３つのブラケット補正量で撮影が行われることを示している。本図において、撮影モードはプログラムに設定されている状態のものを用いて説明を行う。
【００９２】
図１０において、図１０（ａ）は初期の状態を示している。後に詳述する操作が行われると、図１０（ｂ）もしくは図１０（ｂ’）以降の表示に変化していく。
【００９３】
１４０ｂはＩＳＯのブラケット補正量（ゲイン調整量）をドットにて示し、１ドット１／３段を表している。ダイヤル分解能設定ＳＷ１２５が１／３側に設定されている時は、１ドット単位で変化する。ダイヤル分解能設定ＳＷ１２５が１／２側に設定されている時、ブラケット補正量（ゲイン調整量）が１／２段ステップで変化する事になるが、１／２段の位置をドットで表す場合、１／２段の設定値の両側にあるドット二つを表示させて行っている。１段（±１、±２、±３等）毎の位置をドットで示す時は、対応する位置のドット一つで示している。１４０ｃはブラケット補正量を７セグメント表示にて示している。
【００９４】
図６に戻って、ステップＳ２０２では、サブ電子ダイヤル１１６の入力を判別する。入力がされない時にはステップＳ２０７へ移行する。
【００９５】
図６に戻って、ステップＳ２０２にてサブ電子ダイヤル１１６の入力が確認されると、ステップＳ２０３にて、ダイヤル分解能設定ＳＷ１２５の位置を確認し、ダイヤル分解能設定ＳＷ１２５が１／３段側に設定されていた場合、ステップＳ１０７にて１クリック当たりのゲイン調整の変化量を１／３ＥＶとし、補正量を決定する。
【００９６】
この時の図１０における１４０ｂの表示は、初期状態である図１０（ａ）の状態から、サブ電子ダイヤル１１６が１クリック回転される毎に、１ドットづつ変化していく。図１０（ｂ）は、サブ電子ダイヤル１１６が初期状態図１０（ａ）から１クリック操作されたときのドットの状態を示し、図１０（ｃ）はサブ電子ダイヤル１１６が初期状態から、２クリック操作された状態を示している。
【００９７】
また、サブ電子ダイヤル１１６を逆方向に回転させると、図１０（ｃ）の状態から図１０（ｂ）→図４（ａ）の状態へ１ドットづつ逆に変化していく。
【００９８】
１４０ｃの表示もドットの表示に対応して、サブ電子ダイヤル１１６が１クリック回転される毎に、０．０→０．３→０．７→・・・→３．０まで１／３段づつ変化していく。また、逆方向へ回転させると、３．０→２．７→２．３→・・・→０．０と変化していく。
【００９９】
ステップＳ２０３にて、ダイヤル分解能設定ＳＷ１２５の位置を確認し、ダイヤル分解能設定ＳＷ１２５が１／２段側に設定されていた場合、ステップＳ１０６にて１クリック当たりのゲイン調整の変化量を１／２ＥＶとし、補正量を決定する。
【０１００】
この時の図１０における１４０ｂの表示は、初期状態である図１０（ａ）の状態から、サブ電子ダイヤル１１６が１クリック回転される毎に、１ドットづつ変化していく。図１０（ｂ’）は、サブ電子ダイヤル１１６が初期状態図１０（ａ）から１クリック操作されたときのドットの状態を示し、図１０（ｃ’）は、サブ電子ダイヤル１１６が初期状態から、２クリック操作された状態を示している。図１０（ｄ’）は、サブ電子ダイヤル１１６が初期状態から、３クリック操作された状態を示している。
【０１０１】
また、サブ電子ダイヤル１１６を逆方向に回転させると、図１０（ｄ’）の状態から図１０（ｃ’）→図１０（ｂ’）→図１０（ａ）の状態へ１ドットづつ逆に変化していく。
１４０ｃの表示もドットの表示に対応して、サブ電子ダイヤル１１６が１クリック回転される毎に、０．０→０．５→１．０→・・・→３．０まで１／２段づつ変化していく。また、逆方向へ回転させると、３．０→２．５→２．０→・・・→０．０と変化していく。
【０１０２】
図６に戻って、ステップＳ２０４にてＡＥＢブラケットの補正が行われると、ステップＳ２０６にて、ＡＥＢブラケットのフラグを設定し、変数Ｎ＝０をＭＰＵ１内のメモリに記憶して、ステップＳ２０７へ移行する。このフラグが設定されると後述するＡＥＢブラケット撮影が行われる。つまりは、ＡＥＢブラケット設定モードにてサブ電子ダイヤル１１６が操作され、ブラケット補正量が設定されると、ＡＥＢブラケット撮影が行われることになる。
【０１０３】
ステップＳ２０７では、ドライブモード選択ボタン（ＳＷ）１２６・ＡＥモード選択ボタン（ＳＷ）１１９がＯＦＦしたか否かを判別し、ＯＦＦしていない場合には、以上説明した操作を繰り返し、ＯＦＦされたと判別された時には、ＡＥＢブラケット設定モードを終了する。
【０１０４】
次に、図７を用いて、ＩＳＯブラケットの撮影シーケンスについて説明する。
【０１０５】
ステップＳ３０１にて、ＳＷ１（１１４ａ）がＯＮされたか否かを判別し、ＯＮされたと判別されたならば、ステップＳ３０２へ移行する。
【０１０６】
ステップＳ３０２では測光回路２３の出力されたデータに基づいて、ＭＰＵ１にて露出値（シャッタースピードや絞り値を算出）を算出する。尚、前記測光回路２３は合焦した焦点検出領域を含む測光領域（不示図）に重み付けされた公知の測光演算を行い、露出値が演算される。
【０１０７】
また、同時に焦点検出回路１６の出力であるフォーカス情報に基づいてＭＰＵ１はレンズ駆動量を演算決定し、ＡＦ駆動回路１２を用いて撮影レンズ２００の一部のレンズを駆動し、ピント調整する。
【０１０８】
ステップＳ３０３では、ＡＥＢフラグ（Ｍ＝１）が設定されているかどうか判定する。ＡＥＢフラグが設定されていれば、ＡＥＢ撮影を行うためにステップＳ３１７へ移行する。ＡＥＢフラグが設定されていなければ、ステップＳ３０４へ移行する。
【０１０９】
ステップＳ３０４では、ＳＷ２（１１４ｂ）がＯＮされたか否かを判別する。ＯＮされていないと判別された時には、ステップＳ３０１へ戻り、既に説明した動作を繰り返す。ステップＳ３０４にて、ＯＮされたと判別した時にはステップＳ３０５へ進む。
【０１１０】
このステップＳ３０５の撮影処理について図８を用い詳細に説明する。
【０１１１】
図８は、図７のステップＳ３０５、Ｓ３２２における撮影処理の詳細なフローチャートを示す。
【０１１２】
ステップＳ４０１でミラー駆動回路１４は、ＭＰＵ１の命令により、メインミラー４・サブミラー５をミラーアップ位置に移動する。
【０１１３】
ステップＳ４０２において、ＭＰＵ１は図６のステップＳ３０２にて算出された絞り値に応じて、絞り駆動回路１３で絞り２を駆動する。ＡＥＢブラケット撮影の場合は、ステップＳ３１９、Ｓ３２１、Ｓ３２０で算出された絞り値に応じて、絞り駆動回路１３で絞り２を駆動する。
【０１１４】
ステップＳ４０３において、ＭＰＵ１は、ＣＣＤ７の電荷クリア動作を行った後に、ステップＳ４０４にてＣＣＤ７の電荷蓄積を開始して、ステップＳ３０５へ移行する。
【０１１５】
ステップＳ４０５において、シャッター駆動回路１７によって、機械シャッター装置６内の先羽根群６ａ（図示略）を駆動させ（シャッターが開く）、ＣＣＤ７の露光を開始する（ステップＳ４０６）。
【０１１６】
ステップＳ４０７において、ＭＰＵ１は、図７のステップＳ３０２にて算出されたＣＣＤ７の露光時間が終了したか否かを判別し、終了したと判別された時には、ステップＳ４０８へ移行する。
【０１１７】
ステップ４０８において、シャッター駆動回路１７はＭＰＵ１の指示に従い、機械シャッター装置６内の後羽根群６ｂ（図示略）を駆動して、シャッターを閉じ、ＣＣＤ７の露光を終了する。
【０１１８】
ステップＳ４０９において、絞り駆動回路１３は絞り２を開放の絞り値まで駆動すると共に、ステップＳ４１０にて、メインミラー４とサブミラー５をミラー駆動回路１３によってミラーダウン位置に移動する。
【０１１９】
ステップＳ４１１では、設定した電荷蓄積時間が経過したか否かを判別し、経過したと判別されたならばステップＳ４１２へ移行する。
【０１２０】
ステップＳ４１２において、ＭＰＵ１は、ＣＣＤ７の電荷蓄積を終了し、その後、ステップＳ４１３にて、ＣＣＤ７から撮像信号となる電荷信号を読み出す。
【０１２１】
一連の処理を終えたならば、撮影処理ルーチンステップＳ３０５を終了して、ステップＳ２０５へ移行する。ＡＥＢブラケット撮影の場合はステップＳ３２２を終了して、Ｓ３２３へ移行する。
【０１２２】
図７に戻り、ステップＳ３０６では、図５のステップＳ１０８にてＩＳＯブラケットフラグが設定されているか否かを判別する。ＩＳＯブラケットフラグが設定されていない時には、ステップＳ３０９へ移行して、後述する動作を行う。ＩＳＯブラケットフラグが設定されている時には、ステップＳ３０７へ移行する。
【０１２３】
ステップＳ３０７では、ＭＰＵ１はは変数Ｎの値を調べ、Ｎ＝０ならば、ステップＳ３０８へ移行して、図５のステップＳ１０６もしくはＳ１０７にて設定されたブラケット補正量に相当する分、ＡＧＣ９はゲインをアンダー側へ補正する（ＩＳＯアンダー設定）。
【０１２４】
Ｎ＝１ならば、ステップＳ３０９へ移行して、ＡＧＣ９は、図５のステップＳ１０３にて設定したＩＳＯ値に相当する分のゲインにて補正を行う（ＩＳＯ標準設定）。Ｎ＝２ならば、ステップＳ３１０へ移行して、図５のステップＳ１０６もしくはＳ１０７にて設定されたブラケット補正量に相当する分、ＡＧＣ９はゲインをオーバー側へ補正する（ＩＳＯオーバー設定）。
【０１２５】
ステップＳ３１１では、映像信号処理回路１１にて所定の画像処理をした後に、圧縮処理を行って、ステップＳ３１２へ移行し、メモリコントローラ２６は圧縮されたデータをメモリ２８へ記録して、ステップＳ３１３へ移行する。ステップＳ３１２については、本発明の特徴とするところであるので後述にて詳細に説明を行う。
【０１２６】
ステップＳ３１３において、ＭＰＵ１は、ＭＰＵ１内の内部メモリに記憶されたＩＳＯブラケットフラグの状態を調べ、ＩＳＯブラケットフラグが設定されていたならばステップＳ３１４へ進み、ＩＳＯブラケットフラグが解除されていたならば一連の撮影が終了する。
【０１２７】
ステップＳ３１４では、ＭＰＵ１は、変数Ｎに対してＮ＝Ｎ＋１として、ステップＳ３１５へ移行する。
【０１２８】
ステップＳ３１５で、ＭＰＵ１は、変数ＮがＮ＝３に到達したかどうかを判断し、Ｎ＝３に到達していると判断されたならば、ステップＳ３１６にてＩＳＯブラケット実行フラグを解除して、撮影を終了する。
【０１２９】
ステップＳ３１５で変数ＮがＮ＝３に到達していないと判断されたならば、ステップＳ３０５へ戻り、次の撮影を行う。
【０１３０】
ステップＳ３０３で、ＡＥＢフラグが設定されていた場合の動作について説明する。
【０１３１】
ステップＳ３１７では、ＳＷ２（１１４ｂ）がＯＮされたか否かを判別する。ＯＮされていないと判別された時には、ステップＳ３０１へ戻り、既に説明した動作を繰り返す。ステップＳ３１７にて、ＯＮされたと判別した時にはステップＳ３１８へ進む。
【０１３２】
ステップＳ３１８では、ＭＰＵ１はは変数Ｎの値を調べ、Ｎ＝０ならば、ステップＳ３１９へ移行して、図６のステップＳ２０４もしくはＳ２０５にて設定されたブラケット補正量に相当する分、シャッター秒時もしくは絞り値のどちらか一方、もしくは双方の和を露出アンダー側へ設定する（露出アンダー設定）。
【０１３３】
Ｎ＝１ならば、ステップＳ３２０へ移行して、図７のステップＳ３０２にて設定したＩ露出値（シャッター秒時、絞り値）に露出パラメータを設定する。（露出標準設定）。
【０１３４】
Ｎ＝２ならば、ステップＳ３２１へ移行して、図６のステップＳ２０４もしくはＳ２０５にて設定されたブラケット補正量に相当する分、シャッター秒時もしくは絞り値のどちらか一方、もしくは双方の和を露出オーバー側へ設定する（露出オーバー設定）。このステップＳ３２２の撮影処理について先の述べたので、ここでは省略する。
【０１３５】
ステップＳ３２３では、映像信号処理回路１１にて所定の画像処理をした後に、圧縮処理を行って、ステップＳ３１２へ移行し、メモリコントローラ２６は圧縮されたデータをメモリ２８へ記録して、ステップＳ３２４へ移行する。ステップＳ３２４については、ステップＳ３１２と同じであり、本発明の特徴とするところであるので後述にて詳細に説明を行う。
【０１３６】
ステップＳ３２５において、ＭＰＵ１は、ＭＰＵ１内の内部メモリに記憶されたＡＥＢブラケットフラグの状態を調べ、ＡＥＢブラケットフラグが設定されていたならばステップＳ３２６へ進み、ＡＥＢブラケットフラグが解除されていたならば一連の撮影が終了する。
【０１３７】
ステップＳ３２６では、ＭＰＵ１は、変数Ｎに対してＮ＝Ｎ＋１として、ステップＳ３２７へ移行する。
【０１３８】
ステップＳ３２７で、ＭＰＵ１は、変数ＮがＮ＝３に到達したかどうかを判断し、Ｎ＝３に到達していると判断されたならば、ステップＳ３２８にてＡＥＢブラケット実行フラグを解除して、撮影を終了する。
【０１３９】
ステップＳ３２７で変数ＮがＮ＝３に到達していないと判断されたならば、ステップＳ３１７へ戻り、次の撮影を行う。
【０１４０】
図９を用いて、メモリー書き込み時の動作の説明を行う。
【０１４１】
通常、デジタルカメラにおいては、メモリに画像をただ記録するだけでなく、後からのデータ整理等を考慮して、フォルダを作成し、その中に所定枚数の画像データを書き込むようにしている。本実施例においては、１００枚に設定してある。
【０１４２】
ステップ５０２において、ＭＰＵ１はメモリ２８内に設けられてある既存フォルダに撮影した画像が書き込み可能かどうか判定する。本実施例において、ブラケット撮影における撮影枚数は３枚である。つまり、ブラケット撮影モードの場合でかつブラケット撮影１枚目の場合は、フォルダ内に記録されている撮影データ数が９７枚以下であれば書き込み可能と判断する。同様にブラケット撮影２枚目の場合は９８枚以下、ブラケット撮影３枚目の場合には９９枚以下であれば書き込み可能と判断する。その他の撮影では一枚の撮影データが記録可能かどうか判断する。既存フォルダに書き込み可能と判断されればステップＳ５０５に移行する。既存フォルダに書き込み出来ないと判断されればステップＳ５０３に移行する。
【０１４３】
ステップＳ５０３にで、新規のフォルダを作成する。
【０１４４】
ステップＳ５０４では、メモリコントローラ２６は圧縮されたデータをメモリ２８のステップＳ５０３で作成した新規フォルダへ画像データを書き込み。
【０１４５】
ステップＳ５０５では、メモリコントローラ２６は圧縮されたデータをメモリ２８の既存フォルダへ記録する。
【０１４６】
図１２はＬＣＤモニター表示装置１２０の表示部の一部に設けられているホワイトバランス情報表示部２０１において、ホワイトバランスブラケット撮影モード時の設定状態を表す一つの表示例である。図の状態は、図１での説明のようにメニューボタン１２４とホワイトバランス設定ボタン１２８を同時に押し続けた状態で、サブ電子ダイヤル１１６を２クリック分操作した状態を表している。
【０１４７】
マーク２０１ａの「ＡＷＢ」は、ホワイトバランスの設定状態を表しており、図の状態では「オートホワイトバランス」であることを示している。つまり基準となるホワイトバランス値は、図３で説明したように、カメラ内のＣＣＤ７の出力信号を受け取った映像信号処理回路１１がＣＣＤ７出力信号からホワイトバランス情報を抽出しＭＰＵ１に伝達し、ＭＰＵ１にて演算されたホワイトバランス演算結果が用いられる。マーク２０１ｂの中央部の「：」マーク部を標準ホワイトバランス値とし、２０１ｃの「ｏ」マークで示したところがブラケット撮影として設定されたホワイトバランスの補正値となる。
【０１４８】
つまり標準ホワイトバランス値に対して、プラス２段およびマイナス２段であり、この場合の１段とは、たとえば光の色温度を表す単位であるケルビン値で１００ケルビンとして予め設定されているので、標準ホワイトバランス値に対してプラス２００ケルビン、マイナス２００ケルビンの合計３段枚の露光制御を行う設定と言うことである。但し、この１段＝１００ケルビンと言う補正値設定は、必ずしもこれに限定されるものではない。またホワイトバランスブラケットが設定されるとホワイトバランスブラケットフラグを立てるとともに、変数ＮをＮ＝０とする。
【０１４９】
さらに同様な操作でサブ電子ダイヤル１１６の操作を繰り返せば、補正段数幅を変更が可能であり、また補正段数幅を「：」マーク部に合せてからホワイトバランス設定ボタン１２７を離す操作を行えば、ホワイトバランスブラケット撮影モードは解除される。
【０１５０】
図１１を用いて、ホワイトバランスブラケット時の撮影シーケンスについて説明する。
【０１５１】
ステップＳ３０３で、ホワイトバランスブラケット（ＷＢＢ）フラグが設定されていた場合の動作について説明する。
【０１５２】
ステップＳ６０１では、ＳＷ２（１１４ｂ）がＯＮされたか否かを判別する。ステップＳ６０１にて、ＯＮされたと判別した時にはステップＳ６０２へ進む。
【０１５３】
ステップＳ６０２では、撮影処理が行われる。撮影処理は図８に示すシーケンスにて行われる。
【０１５４】
ステップＳ６０３では、ＭＰＵ１はホワイトバランスブラケット撮影が何枚目かを判断する。１枚目ならば、ステップＳ６０４へ移行し映像信号処理回路１１にてホワイトバランスアンダー補正にて画像処理を行い、圧縮処理を行う。
【０１５５】
２枚目ならば、ステップＳ６０５へ移行し映像信号処理回路１１にてホワイトバランス標準（ＡＷＢと同じ補正）にて画像処理を行い、圧縮処理を行う。３枚目ならば、ステップＳ６０６へ移行し映像信号処理回路１１にてホワイトバランスオーバー補正にて画像処理を行い、圧縮処理を行う。
【０１５６】
ステップＳ６０７で、メモリコントローラ２６は圧縮されたデータをメモリ２８へ記録して、ステップＳ６０８へ移行する。ステップＳ６０４については、ステップＳ３１２、Ｓ３２４と同じであり、図９で説明の動作を行う。
【０１５７】
ステップＳ６０８において、ＭＰＵ１は、ＭＰＵ１内の内部メモリに記憶されたホワイトバランスブラケットフラグの状態を調べ、ホワイトバランスブラケットフラグが設定されていたならばステップＳ６０９へ進み、ホワイトバランスブラケットフラグが解除されていたならば一連の撮影が終了する。
【０１５８】
ステップＳ６０９では、ＭＰＵ１は、変数Ｎに対してＮ＝Ｎ＋１として、ステップＳ６１０へ移行する。
【０１５９】
ステップＳ６１０で、ＭＰＵ１は、変数ＮがＮ＝３に到達したかどうかを判断し、Ｎ＝３に到達していると判断されたならば、ステップＳ６１１にてホワイトバランスブラケット実行フラグを解除して、撮影を終了する。
【０１６０】
ステップＳ６１０で変数ＮがＮ＝３に到達していないと判断されたならば、ステップＳ６０１へ戻り、次の撮影を行う。
【０１６１】
このようにブラケット撮影によって得られた一連の画像データを、ブラケット撮影途中にフォルダに書き込み出来なくなってしまった場合でも、新規フォルダを作成し、かつ作成した新規フォルダに一連のブラケット撮影の画像データをひとつにまとめて書き込むようにしたので、ブラケット撮影結果の比較がとても行いやすい電子カメラとする事が出来る。また、ブラケット撮影をしただけではメモリ内のフォルダが増えないので、フォルダ数増加による撮影画像データの整理のしやすさを損なう事がない。
【０１６２】
尚、本実施例における電子カメラの制御方法を実現する為のプログラムを格納する記憶媒体としては、例えば、ＦＤ、ＨＤ、ＣＤ−ＲＯＭ、ＣＤ−Ｒなどの磁気ディスク、光ディスク、光磁気ディスク（ＭＯ）、或いは磁気テープ等の、主として不揮発性の記憶装置が挙げられる。然し、記憶媒体の種類を限定するものではない。
【０１６３】
また、上記実施例では、ＡＥＢ撮影モード、ＩＳＯブラケット撮影モード、ホワイトバランスブラケット撮影モード共単独でブラケット撮影を行っていたが、この中のいくつかを組み合わせて行うブラケット撮影を行う場合においても実施しても同様の効果が得られる。
【図面の簡単な説明】
【０１６４】
【図１】本発明に係る実施例における一眼レフタイプ電子カメラの外観上面図
【図２】本発明に係る実施例における一眼レフタイプ電子カメラの外観背面図
【図３】本発明に係る実施例における一眼レフタイプ電子カメラの制御系の構成を示すブロック図
【図４】実施例１のＩＳＯブラケット設定時における一眼レフタイプ電子カメラのＬＣＤモニター装置の表示例を示す説明図
【図５】本発明に係る実施例１における一眼レフタイプ電子カメラのＩＳＯブラケット設定動作を示すフローチャート
【図６】本発明に係る実施例１における一眼レフタイプ電子カメラのＡＥＢブラケット設定動作を示すフローチャート
【図７】本発明に係る実施例における一眼レフタイプ電子カメラのブラケットの撮影シーケンスを示すフローチャート
【図８】図７のステップＳ３０５、３２２及び図１１のＳ６０２の撮影処理の詳細を示すフローチャートである。
【図９】ブラケット関連画像を異なるフォルダに分散する事なくひとつのフォルダに記録する処理（メモリー書き込み処理）を説明するためのフローチャート
【図１０】ＡＥＢブラケット設定時における一眼レフタイプ電子カメラのＬＣＤモニター装置の表示例を示す説明図
【図１１】ホワイトバランスブラケット時のデジタル一眼レフカメラの動作を示すフローチャート図
【図１２】ＩＳＯブラケット設定時のデジタル一眼レフカメラのＬＣＤモニターの表示例を示す図
【符号の説明】
【０１６５】
１マイクロコンピュータ（ＭＰＵ）
２絞り
３ペンタプリズム（ペンタゴナルダハプリズム）
４メインミラー
５サブミラー
６機械シャッター装置
７ＣＣＤ
８クランプ／ＣＤＳ回路
９ＡＧＣ（自動利得調整装置）
１０Ａ／Ｄ変換器
１１映像信号処理回路
１２ＡＦ駆動回路
１３絞り駆動回路
１４ミラー駆動回路
１５焦点検出センサー
１６焦点検出回路
１７シャッター駆動回路
２１スイッチセンス回路
２２測光センサー
２３測光回路
２４液晶表示駆動回路
２５ＬＣＤ駆動回路
２６メモリコントローラ
２７バッファメモリ
２８メモリ
２９外部インターフェース
３０ファインダー内液晶表示装置
３１電源部
１００カメラ本体
１１４レリーズボタン
１１５メイン電子ダイヤル，
１１６サブ電子ダイヤル
１１７撮影モード選択ボタン
１１８ＡＦモード選択ボタン
１１９測光モード選択ボタン
１２０ＬＣＤモニター装置
１２５ダイヤル分解能設定ＳＷ
１４０外部液晶表示装置
２００撮影レンズ
【図１】
2005136654.tif 000003
【図２】
2005136654.tif 000004
【図３】
2005136654.tif 000005
【図４】
2005136654.tif 000006
【図５】
2005136654.tif 000007
【図６】
2005136654.tif 000008
【図７】
2005136654.tif 000009
【図８】
2005136654.tif 000010
【図９】
2005136654.tif 000011
【図１０】
2005136654.tif 000012
【図１１】
2005136654.tif 000013
【図１２】
2005136654.tif 000014